(57)【要約】【課題】試しコピーモードをより簡単に利用することができるデジタル複写機を提供することを目的とする。【解決手段】試しコピーモード時には、あらかじめ記憶している試しコピーモード原稿データの内容を記録出力するようにしているので、原稿の読み取り作業が不要となり、試しコピーモードをより簡単に利用することができるという効果を得る。【選択図】        図２
2005064989.tif 000002
【特許請求の範囲】
【請求項１】
複数の印字付加機能と、複数の給紙手段を備えたデジタル複写機において、
試しコピーモードを設定入力する試しコピーモード設定入力手段と、
試しコピーモード時に印刷出力する試しコピーモード原稿データを記憶した記憶手段を備え、
上記試しコピーモード設定入力手段で設定入力された試しコピーモードの内容に対応した試しコピーモード原稿データを上記記憶手段より読み出し、当該読み出した試しコピーモード原稿データの内容を記録出力することを特徴とするデジタル複写機。
【請求項２】
前記試しコピーモード原稿データの内容を記録出力する転写紙は、前記複数の給紙手段が給紙するもののうち、紙幅と長さが最も小さいものであり、
前記試しコピーモード原稿データの内容を、当該選択した転写紙におさまるように縮小して記録することを特徴とする請求項１記載のデジタル複写機。
【請求項３】
前記試しコピーモード設定時、前記印字付加機能が選択されている場合には、当該選択された印字付加機能の印字出力を、前記試しコピーモード原稿データの内容の縮小率と同じ縮小率で、前記転写紙へ記録することを特徴とする請求項２記載のデジタル複写機。
【請求項４】
複数の印字付加機能と、複数の給紙手段を備えたデジタル複写機において、
上記印字付加機能を用いて付加画像を印刷する際の参照用のテスト画像データを記憶した記憶手段を備え、
上記記憶手段に記憶した上記テスト画像データの内容を記録出力する出力モードを備えたことを特徴とするデジタル複写機。
【請求項５】
複数の印字付加機能と、複数の給紙手段を備えたデジタル複写機において、
試しコピーモードを設定入力する試しコピーモード設定入力手段と、
試しコピーモード時に印刷出力する試しコピーモード原稿データと、上記印字付加機能を用いて付加画像を印刷する際の参照用のテスト画像データを記憶した記憶手段を備え、
試しコピーモードの印刷が指令されたときには、上記試しコピーモード設定入力手段で設定入力された試しコピーモードの内容に対応した試しコピーモード原稿データを上記記憶手段より読み出し、当該読み出した試しコピーモード原稿データの内容を記録出力し、テスト画像データの印刷が指令されたときには、上記記憶手段に記憶した上記テスト画像データの内容を記録出力することを特徴とするデジタル複写機。
【発明の詳細な説明】
【技術分野】
【０００１】
本発明は、複数の印字付加機能と、複数の給紙手段を備えたデジタル複写機に関する。
【背景技術】
【０００２】
一般に、幅広の複写物を作成可能な工業用デジタル複写機では、複写物の画像を担持する転写紙がＡ０等の大きなサイズのカット紙であったり、幅寸法が８４１ｍｍ程度のロール紙であったりするため、複写時に設定するモードが間違っている場合、ユーザの損失コストが大きいという不具合があった。
【０００３】
このような不具合を解消するものとしては、印刷可能な最も小さいサイズの転写紙を用いて、試験的に縮小コピーする試しコピーモードを備えたものが提案されている（特許文献１参照）。
【特許文献１】特開平１０−１６３５９号公報
【発明の開示】
【発明が解決しようとする課題】
【０００４】
しかしながら、このような従来装置では、試しコピーモードの場合にも原稿を読み取らせる必要があり、その原稿が長尺な場合等、ユーザの操作の手間がかかるという不具合を生じるおそれがあった。
【０００５】
本発明はこのような課題を解決するために、試しコピーモードをより簡単に利用することができるデジタル複写機を提供することを目的とする。
【課題を解決するための手段】
【０００６】
本発明は、複数の印字付加機能と、複数の給紙手段を備えたデジタル複写機において、試しコピーモードを設定入力する試しコピーモード設定入力手段と、試しコピーモード時に印刷出力する試しコピーモード原稿データを記憶した記憶手段を備え、上記試しコピーモード設定入力手段で設定入力された試しコピーモードの内容に対応した試しコピーモード原稿データを上記記憶手段より読み出し、当該読み出した試しコピーモード原稿データの内容を記録出力するようにしたものである。
【０００７】
また、前記試しコピーモード原稿データの内容を記録出力する転写紙は、前記複数の給紙手段が給紙するもののうち、紙幅と長さが最も小さいものであり、前記試しコピーモード原稿データの内容を、当該選択した転写紙におさまるように縮小して記録するようにしたものである。
【０００８】
また、前記試しコピーモード設定時、前記印字付加機能が選択されている場合には、当該選択された印字付加機能の印字出力を、前記試しコピーモード原稿データの内容の縮小率と同じ縮小率で、前記転写紙へ記録するようにしたものである。
【０００９】
また、複数の印字付加機能と、複数の給紙手段を備えたデジタル複写機において、上記印字付加機能を用いて付加画像を印刷する際の参照用のテスト画像データを記憶した記憶手段を備え、上記記憶手段に記憶した上記テスト画像データの内容を記録出力する出力モードを備えたものである。
【００１０】
また、複数の印字付加機能と、複数の給紙手段を備えたデジタル複写機において、試しコピーモードを設定入力する試しコピーモード設定入力手段と、試しコピーモード時に印刷出力する試しコピーモード原稿データと、上記印字付加機能を用いて付加画像を印刷する際の参照用のテスト画像データを記憶した記憶手段を備え、試しコピーモードの印刷が指令されたときには、上記試しコピーモード設定入力手段で設定入力された試しコピーモードの内容に対応した試しコピーモード原稿データを上記記憶手段より読み出し、当該読み出した試しコピーモード原稿データの内容を記録出力し、テスト画像データの印刷が指令されたときには、上記記憶手段に記憶した上記テスト画像データの内容を記録出力するようにしたものである。
【発明の効果】
【００１１】
本発明によれば、試しコピーモード時には、あらかじめ記憶している試しコピーモード原稿データの内容を記録出力するようにしているので、原稿の読み取り作業が不要となり、試しコピーモードをより簡単に利用することができるという効果を得る。
【００１２】
また、試しコピーモード時には、最も小さいサイズの転写紙を用いて複写動作を行うので、コスト的に有利であるという効果も得る。
【００１３】
また、印字付加機能で印刷可能な内容をテスト画像データの内容を印刷することで確認することができるため、ユーザは、より適切に印字付加機能を利用することができるという効果も得る。
【発明を実施するための最良の形態】
【００１４】
以下、添付図面を参照しながら、本発明の実施の形態を詳細に説明する。
【００１５】
図１は、本発明の一実施例にかかるデジタル複写機の構成例を示している。このデジタル複写機は、幅広長尺な複写物を形成可能なものであり、転写紙として複数のカット紙、および、複数のロール紙を給紙することができる。また、画像形成は、例えば、レーザビームプリンタ等と同等の静電写真転写プロセスを利用している。
【００１６】
同図において、システム制御部１は、このデジタル複写機の各部の動作等を制御するためのものであり、原稿読取部２は、読取原稿の画像を光電変換して読取入力するためのものであり、原稿給紙部３は、原稿台（図示略）に載置された読取原稿を１枚ずつ分離して原稿読取部２へ搬送するためのものであり、原稿レジスト検知部５は、原稿給紙部３により搬送された原稿が原稿読取部２の所定位置へ到達したことを検知するためのものであり、原稿幅検知部６は、読取原稿の幅寸法を検知するためのものであり、原稿排紙部７は、読取後の原稿を収容するためのものである。
【００１７】
原稿画像メモリ８は、原稿読取部２で読み取って得た原稿画像データを保存するためのものであり、画像処理部９は、原稿画像データに種々の画像処理、例えば、白黒反転処理、変倍処理、あるいは、画像合成処理等を適用するためのものである。
【００１８】
作像部１１は、感光体（図示略）へ複写画像を、所定の解像度で露光するためのものであり、レーザビームエンジン等から構成される。また、転写紙給紙部１２は、複数のカット紙および複数のロール紙を、現像後の感光体の所定位置へ送り出すためのものであり、転写紙長検知部１３は、転写紙給紙部１２が管理している複数のカット紙および複数のロール紙の長さを検知するためのものであり、転写紙幅検知部１４は、転写紙給紙部１２が管理している複数のカット紙および複数のロール紙の幅寸法を検知するためのものであり、ロール紙カット部１５は、転写紙としてロール紙が用いられる場合、画像長あるいは設定された用紙長に合わせてロール紙をカットするためのものであり、定着部１６は、トナー像が転写された転写紙を熱圧着して、転写紙上にトナー像を定着させるためのものであり、転写紙排紙部１７は、トナー像が定着された転写紙を収容するためのものである。
【００１９】
また、操作表示部１８は、このデジタル複写機をユーザが適宜に操作するためのものであり、種々の操作キー、および、液晶表示器等の適宜な表示装置から構成される。
【００２０】
さて、本実施例では、幅広原稿の複写作業等に備えて、ユーザが適宜に試しコピーを行うことができる。この試しコピーは、原稿に対して画像がどのように配置されるかを確認するためのレイアウトモードと、原稿にページ数や日付、あるいは、スタンプ等の画像を付加印字する機能を確認するための機能設定補助パターン印刷モードがある。
【００２１】
レイアウトモードでは、例えば、図２（ａ）に示すような一般的な比率の原稿の画像が、どのように印刷されるかを確認することができる。例えば、同図（ｂ）に示すように、あらかじめシステム制御部１に保存されている試しコピー原稿パターンが、その時点で転写紙給紙部１２に装着されている転写紙のうち最も原稿幅が小さく、かつ、原稿長が小さいものに複写される。
【００２２】
また、ユーザが日付、ページ数、および、スタンプ（例えば、「丸秘」）の画像を付加するように選択している場合には、同図（ｃ）に示すように、付加選択された項目が、あらかじめ設定された位置に配置されて記録される。
【００２３】
このとき、試しコピーで適用される転写紙に試しコピー原稿パターンが縮小されて記録される場合、付加選択された項目も、同率で縮小されて付加記録される。また、この縮小処理、および、画像の付加処理は、画像処理部９で行われる。
【００２４】
また、機能設定補助パターン印刷モードとしては、例えば、図３（ａ）に示すように、スタンプ等の印字方向および印字位置を確認するための印字方向・印字位置確認用パターン、および、同図（ｂ）に示すように、日付やページ数の表記に用いる文字や、スタンプの大きさと、濃淡を確認するための印字サイズ・印字濃淡確認用パターンなどがある。
【００２５】
ここで、試し原稿パターンの画像データ、印字方向・印字位置確認用パターンの画像データ、および、印字サイズ・印字濃淡確認用パターンの画像データは、それぞれシステム制御部１にあらかじめ保存されるものである。
【００２６】
また、本実施例の場合、文字および、スタンプの印字サイズは、１倍、２倍、４倍、８倍を設定することができるので、印字サイズ・印字濃淡確認用パターンの画像データは、それぞれ１倍、２倍、４倍、８倍に対応した文字およびスタンプ枠が表示される。また、印字濃度は「濃い」、「普通」、「薄い」の３段階に設定できるため、それに対応した３段階の印字濃度をあらわすバーチャート（図３（ｂ）の左下の３本のチャート）が印刷される。
【００２７】
このようにして、本実施例では、試しコピーモードで印刷されるデータとして適用される試しコピー画像データが、あらかじめシステム制御部１に保存されているので、試しコピー時にユーザが原稿を通紙する等の作業が不要となり、それにより、試しコピーを簡単に利用することができることとなる。
【００２８】
また、レイアウトモードの際に、日付、ページ数、あるいは、スタンプを付加する旨が設定されている場合、それらの内容が、試しコピー画像データと同率の変倍率で記録されるので、日付、ページ数、あるいは、スタンプを付加する旨を設定した場合でも、それらの付加される内容を適切に確認することができ、非常に便利である。
【００２９】
また、機能設定補助パターン印刷モードでは、スタンプの印字方向や印字位置を決定する際に参照できる内容が印刷出力されるので、ユーザは、例えば、分かりづらいスタンプの印字方向などを適切に判断することができ、よりミスコピーの機会を減少することができるので、コスト的にも有利である。
【００３０】
図５は、デジタル複写機の処理の一例を示している。
【００３１】
まず、試しコピーモードが選択されているかどうかを調べ（判断１０１）、判断１０１の結果がＹＥＳになるときにはレイアウトモードが選択されているかどうかを調べる（判断１０２）。
【００３２】
判断１０２の結果がＹＥＳになるときには、そのときに操作表示部１８で選択されているそれ以外の動作モード（例えば、日付付加、ページ付加等）を設定し（処理１０３）、また、その時点で転写紙給紙部１２に装着されている転写紙のうち最も原稿幅が小さく、かつ、原稿長が小さいものを転写紙として選択し（処理１０４）、その選択した転写紙に、上述したような試しコピーモード原稿データを読み出して、処理１０３で動作モードを設定した場合には、当該動作モードの付加画像データを読み出した試しコピーモード原稿データへ合成し、記録出力する（処理１０５）。
【００３３】
ここで、ユーザにより印刷開始（コピー開始）が指令されたかどうかを判断し（判断１０６）、判断１０６の結果がＮＯになるときには、処理１０３へ戻り、再度試しコピーモードの動作を行う。
【００３４】
また、判断１０６の結果がＹＥＳになるときには、そのときに設定した動作モードを適用して、通常の複写動作を行う。すなわち、読取原稿画像を読み取り（処理１０７）、それによって得た画像データの複写物を、そのときに設定された動作モードを適用して、記録出力する（処理１０８）。
【００３５】
また、試しコピーモードが選択されたが、レイアウトモードではなく、機能設定補助パターン印刷モードが選択された場合で、判断１０２の結果がＮＯになるときには、上述した印字方向・印字位置確認用パターンの画像データ、および、印字サイズ・印字濃淡確認用パターンの画像データのうち印刷するものをユーザに選択させる（処理１１０）。
【００３６】
次いで、その時点で転写紙給紙部１２に装着されている転写紙のうち最も原稿幅が小さく、かつ、原稿長が小さいものを転写紙として選択し（処理１１１）、その選択した転写紙に、選択された画像データを、試しコピー画像として記録出力する（処理１１２）。
【００３７】
また、通常のコピー動作が選択された場合で、判断１０１の結果がＮＯになるときには、処理１０７へ進み、通常の複写動作を行う。
【００３８】
なお、上述した実施例では、複写機能のみを備えたデジタル複写機について本発明を適用した場合を説明しているが、本発明は、例えば、ネットワークに接続されて他のデータ端末装置（例えば、パーソナルコンピュータ等）から印刷データを受信したり、ファクシミリ通信機能も備えた複合機についても、同様にして適用することができる。
【００３９】
また、上述した実施例では、付加印字できるものとして、スタンプを上げ、その内容として、「丸秘」や「回収」を例示しているが、それ以外の内容（例えば、「緊急」、「至急」等）を、さらに選択できるようにした場合についても同様にして適用することができる。
【００４０】
また、上述した実施例では、試しコピーモードのレイアウトモードで選択される転写紙が、縦横寸法の比率が定型のカット紙タイプのものの場合について説明しているが、長尺な転写紙を選択することもできる。ただし、その場合、例えば、Ａ４サイズのカット紙の転写紙の一部に縮小した内容を印刷する等、なるべく試しコピーモードにおける転写紙のコストを小さくするようにすることが好ましい。
【図面の簡単な説明】
【００４１】
【図１】本発明の一実施例にかかるデジタル複写機の構成例を示したブロック図。
【図２】レイアウトモードの印刷例を示した概略図。
【図３】機能設定補助パターン印刷モードの印刷例を示した概略図。
【図４】デジタル複写機の処理の一例を示したフローチャート。
【符号の説明】
【００４２】
１  システム制御部
２  原稿読取部
３  原稿給紙部
４  原稿セット検知部
５  原稿レジスト検知部
６  原稿幅検知部
７  原稿排紙部
８  原稿画像メモリ
９  画像処理部
１１  作像部
１２  転写紙給紙部
１３  転写紙長検知部
１４  転写紙幅検知部
１５  ロール紙カット部
１６  定着部
１７  転写紙排紙部
１８  操作表示部
【図１】
2005064989.tif 000003
【図２】
2005064989.tif 000004
【図３】
2005064989.tif 000005
【図４】
2005064989.tif 000006